(57)【要約】【課題】ファインダの視度調整に関する不用意な操作を防止できる撮像装置の技術を提供する。【解決手段】撮像装置１０は、その背面に設けられた光学ファインダ３１６と、光学ファインダ３１６の視度調整を行うための視度調整ダイアル３２２と、光学ファインダ３１６の周囲から一定の高さをもって突出するアイカップ３２１とを備えている。ここで、視度調整ダイアル３２２は、撮像装置１０の背面の外縁Ｂｄからはみ出さないように配置されるとともに、アイカップ３２１には、視度調整ダイアル３２２上において凹部が形成されており、当該凹部の開口端面より内側に視度調整ダイアル３２２が略収容されている。このような構成により、視度調整ダイアル３２２にユーザの指が誤って触れることが抑えられ、不用意な操作を防止できる。【選択図】図２
2007322985.tif 000002
【特許請求の範囲】
【請求項１】
撮像装置であって、
(a)前記撮像装置の所定面に設けられた接眼タイプのファインダと、
(b)前記ファインダの視度調整を行うための操作部材と、
(c)前記ファインダの周囲における前記所定面から一定の高さをもって突出し、前記ファインダへの外光の侵入を抑制する遮光部材と、
を備え、
前記操作部材は、前記所定面において外縁からはみ出さないように配置されるとともに、
前記遮光部材には、前記操作部材上において凹部が形成されており、当該凹部の開口端面より内側に前記操作部材が略収容されていることを特徴とする撮像装置。
【請求項２】
請求項１に記載の撮像装置において、
前記遮光部材の凹部は、指先が入るサイズを有していることを特徴とする撮像装置。
【請求項３】
請求項１に記載の撮像装置において、
前記遮光部材の凹部は、前記遮光部材の外側面の一部に形成されていることを特徴とする撮像装置。
【請求項４】
請求項１に記載の撮像装置において、
前記遮光部材は、前記所定面に対して着脱自在であることを特徴とする撮像装置。
【請求項５】
接眼タイプのファインダの周囲における撮像装置の所定面から一定の高さをもって突出し、前記ファインダへの外光の侵入を抑制する遮光部材であって、
所定の凹部が設けられており、
前記撮像装置には、前記ファインダの視度調整を行うための操作部材が前記所定面の外縁からはみ出さないように配置されるとともに、
前記所定の凹部は前記操作部材上に形成されており、前記所定の凹部の開口端面より内側に前記操作部材が略収容されていることを特徴とする遮光部材。
【発明の詳細な説明】
【技術分野】
【０００１】
本発明は、ファインダの視度調整を行うための操作部材を備えた撮像装置の技術に関する。
【背景技術】
【０００２】
一眼レフカメラ（撮像装置）においては、被写体に関する撮影範囲を光学的に表示する光学ファインダが設けられている（特許文献１参照）。
【０００３】
この光学ファインダについては、図１５（光学ファインダ付近の拡大図）に示すように光学ファインダ９１の視度調整を行うための視度調整ダイアル９２を備えたものがある。
【０００４】
【特許文献１】特開２００５−２２１６０２号公報
【発明の開示】
【発明が解決しようとする課題】
【０００５】
しかしながら、上記の視度調整ダイアルにおいては、ユーザが指を掛けてダイアル操作を行えるようにカメラの外形面から突出している部分があるため、この突出部分９２ｔ(図１５)にユーザの指が誤って触れてしまうと予期せぬ不用意な操作となり、せっかく設定していた視度状態も崩れてしまう可能性がある。
【０００６】
本発明は、上記課題に鑑みてなされたものであり、ファインダの視度調整に関する不用意な操作を防止できる撮像装置の技術を提供することを目的とする。
【課題を解決するための手段】
【０００７】
本発明の第１の側面は、撮像装置であって、(a)前記撮像装置の所定面に設けられた接眼タイプのファインダと、(b)前記ファインダの視度調整を行うための操作部材と、(c)前記ファインダの周囲における前記所定面から一定の高さをもって突出し、前記ファインダへの外光の侵入を抑制する遮光部材とを備え、前記操作部材は、前記所定面において外縁からはみ出さないように配置されるとともに、前記遮光部材には、前記操作部材上において凹部が形成されており、当該凹部の開口端面より内側に前記操作部材が略収容されていることを特徴とする。
【０００８】
また、本発明の第２の側面は、接眼タイプのファインダの周囲における撮像装置の所定面から一定の高さをもって突出し、前記ファインダへの外光の侵入を抑制する遮光部材であって、所定の凹部が設けられており、前記撮像装置には、前記ファインダの視度調整を行うための操作部材が前記所定面の外縁からはみ出さないように配置されるとともに、前記所定の凹部は前記操作部材上に形成されており、前記所定の凹部の開口端面より内側に前記操作部材が略収容されていることを特徴とする。
【０００９】
なお、上記「所定面」とは、撮像装置において固定されている面（例えば背面や上面）に限らず、ＥＶＦなどのファインダにおいて所定の回動軸を中心に表示面(やファインダの設置面)の角度が変化する場合にはファインダの設置面を含む。
【発明の効果】
【００１０】
本発明によれば、撮像装置の所定面に設けられた接眼タイプのファインダの視度調整を行うための操作部材は、上記所定面の外縁からはみ出さないように配置されるとともに、ファインダの周囲から一定の高さをもって突出しファインダへの外光の侵入を抑制する遮光部材には、操作部材上において凹部が形成されており、当該凹部の開口端面より内側に操作部材が略収容されている。その結果、ファインダの視度調整に関する不用意な操作を防止できる。
【発明を実施するための最良の形態】
【００１１】
＜実施形態＞
＜撮像装置の外観構成＞
図１〜図６は、本発明の実施形態に係る撮像装置１０の外観構成を示す図である。ここで、図１〜図６は、それぞれ正面図、背面図、上面図、底面図、左側面図および右側面図を示している。また、撮像装置１０は、交換レンズ（撮影レンズ）２の着脱が可能となっているが、図７は、撮像装置１０に交換レンズ２が装着されたカメラシステム（撮像システム）１の斜視図を示している。このカメラシステム１は、例えば一眼レフレックス型デジタルスチルカメラとして機能する。
【００１２】
図１において、撮像装置１０の正面側には、正面略中央に交換レンズ２が装着されるマウント部３０１と、マウント部３０１の右横に配置されたレンズ交換ボタン３０２と、正面左端部（Ｘ方向左側）において突設され、ユーザが片手（又は両手）により確実に把持（保持）可能とするためのグリップ部３０３と、正面左上部（Ｙ方向左上側）に配置されたモード設定ダイアル３０５と、正面右上部に配置された制御値設定ダイアル３０６と、グリップ部３０３の上面に配置されたシャッターボタン３０７とが設けられている。
【００１３】
また、図２において、撮像装置１０の背面側には、ＬＣＤ（Liquid Crystal Display）３１１と、ＬＣＤ３１１の左方に配置された設定ボタン群３１２と、ＬＣＤ３１１の右方に配置された十字キー３１４と、十字キー３１４の中央に配置されたプッシュボタン３１５と、十字キー３１４の右下に配置された手振れ補正スイッチ３１３とが備えられている。また、撮像装置１０の背面側には、ＬＣＤ３１１の上方に配設された光学ファインダ３１６と、光学ファインダ３１６の周囲を囲むアイカップ３２１と、アイカップ３２１の陰に隠れている視度調整ダイアル３２２と、光学ファインダ３１６の左方に配設されたメインスイッチ３１７と、光学ファインダ３１６の右方に配設された露出補正ボタ３２３およびＡＥロックボタン３２４と、光学ファインダ３１６の上方に配設されたフラッシュ部３１８と、フラッシュ部３１８を収納する収納部３２０(図８)と、接続端子部３１９とが備えられている。
【００１４】
マウント部３０１は、交換レンズ２を装着するための部位であり、装着された交換レンズ２との電気的接続を行うための複数個の電気的接点や、機械的接続を行うためのカプラ等が設けられている。
【００１５】
レンズ交換ボタン３０２は、マウント部３０１に装着された交換レンズ２を取り外す際に押下されるボタンである。
【００１６】
グリップ部３０３は、ユーザが撮影時に当該撮像装置１０を把持する部分であり、フィッティング性を高めるために指形状に合わせた表面凹凸が設けられている。なお、グリップ部３０３の内部には電池収納室６９Ａ(図４)とカード収納室６７Ａ(図６)とが設けられている。電池収納室６９Ａにはカメラの電源として電池が収納されており、カード収納室６７Ａには撮影画像の画像データを記録するための記録媒体（例えばメモリカード）が着脱可能に収納されるようになっている。なお、グリップ部３０３には、該グリップ部３０３をユーザが把持したか否かを検出するためのグリップセンサを設けるようにしても良い。
【００１７】
モード設定ダイアル３０５及び制御値設定ダイアル３０６は、撮像装置１０の上面と略平行な面内で回転可能な略円盤状の部材からなる。モード設定ダイアル３０５は、自動露出（ＡＥ）制御モードや自動焦点（ＡＦ；オートフォーカス）制御モード、或いは１枚の静止画を撮影する静止画撮影モードや連続撮影を行う連続撮影モード等の各種撮影モード、記録済みの画像を再生する再生モード等、撮像装置１０に搭載されたモードや機能を択一的に選択するためのものである。制御値設定ダイアル３０６は、撮像装置１０に搭載された各種の機能に対する制御値を設定するためのものである。
【００１８】
シャッターボタン３０７は、途中まで押し込んだ「半押し状態」の操作と、さらに押し込んだ「全押し状態」の操作とが可能とされた押下スイッチである。静止画撮影モードにおいてシャッターボタン３０７が半押し（Ｓ１）されると、被写体の静止画を撮影するための準備動作（露出制御値の設定や焦点調節等の準備動作）が実行され、シャッターボタン３０７が全押し（Ｓ２）されると、撮影動作（撮像センサを露光し、その露光によって得られた画像信号に所定の画像処理を施してメモリカード等に記録する一連の動作）が実行される。
【００１９】
ＬＣＤ３１１は、カラー液晶パネルを備えてなり、撮像素子１０１（図１０等参照）により撮像された画像の表示や記録済みの画像の再生表示等を行うとともに、撮像装置１０に搭載される機能やモードの設定画面を表示するものである。なお、ＬＣＤ３１１に代えて、有機ＥＬやプラズマ表示装置を用いるようにしても良い。
【００２０】
設定ボタン群３１２は、撮像装置１０に搭載された各種の機能に対する操作を行うボタンである。この設定ボタン群３１２には、例えばＬＣＤ３１１に表示されるメニュー画面で選択された内容を確定するための選択確定スイッチ、選択取り消しスイッチ、メニュー画面の内容を切り替えるメニュー表示スイッチ、表示オン／オフスイッチ、表示拡大スイッチなどが含まれる。
【００２１】
手振れ補正スイッチ３１３は、後述の振れ補正ユニット２００による振れ補正動作を実行させるための操作信号を与えるためのボタンである。この手振れ補正スイッチ３１３は、手持ち撮影、望遠撮影、暗部での撮影、或いは長時間露光が必要な撮影時等、手振れ等の「振れ」の影響が撮影画像に表出する恐れがある場合にユーザにより押下され、当該撮像装置１０の振れ補正動作が行える状態に設定するものである。
【００２２】
十字キー３１４は、円周方向に一定間隔で配置された複数の押圧部（図中の三角印の部分）を備える環状の部材を有し、各押圧部に対応して備えられた図示省略の接点（スイッチ）により押圧部の押圧操作が検出されるように構成されている。また、プッシュボタン３１５は、十字キー３１４の中央に配置されている。十字キー３１４及びプッシュボタン３１５は、撮影倍率の変更（ズームレンズのワイド方向やテレ方向への移動）、ＬＣＤ３１１に再生する記録画像のコマ送り、及び撮影条件（絞り値、シャッタスピード、フラッシュ発光の有無等）の設定等の指示を入力するためのものである。
【００２３】
光学ファインダ３１６は、撮像装置１０の背面に設けられた接眼タイプのファインダとして構成されており、被写体が撮影される範囲を光学的に表示するものである。すなわち、光学ファインダ３１６には、交換レンズ２からの被写体像が導かれており、ユーザは、この光学ファインダ３１６を覗くことにより、実際に撮像素子１０１にて撮影される被写体を視認することができる。
【００２４】
メインスイッチ３１７は、左右にスライドする２接点のスライドスイッチからなり、左にセットすると撮像装置１０の電源がオンされ、右にセットすると電源がオフされる。
【００２５】
フラッシュ部３１８は、ポップアップ式の内蔵フラッシュとして構成されており、回転軸Ｃｏ(図７、図８)を中心に回動することにより、図７に示す伏臥状態Ｑａと図８に示す起立状態Ｑｂとの切替えが可能となっている。
【００２６】
収納部３２０は、図８に示すようにフラッシュ部３１８の下部で突出する突出部３１８ｐを格納するための凹部３２０ｐを有している。よって、図７に示す伏臥状態Ｑａにおいては、フラッシュ部３１８の下部を収納部３２０の凹部３２０ｐに収納することにより、フラッシュ部３１８が撮像装置１０の外形と一体的となる。
【００２７】
一方、外部フラッシュ等を撮像装置１０に取り付ける場合には、接続端子部３１９を使用して接続される。なお、図３や図７等では、接続端子部３１９に端子キャップが装着された状態を図示している。
【００２８】
アイカップ３２１は、遮光性を有する略「コ」字状の遮光部材であり、その交換が容易に行えるように撮像装置１０の背面に対して着脱自在な構成となっている。また、アイカップ３２１は、図５〜６のように光学ファインダ３１６の周囲における撮像装置１０の背面から一定の高さをもって突出し、光学ファインダ３１６への外光の侵入を抑制する役目を果たす。
【００２９】
視度調整ダイアル３２２は、円板状の外形を有し、光学ファインダ３１６の視度調整を行うための操作部材である。
【００３０】
露出補正ボタン３２３は、露出値（絞り値やシャッタースピード）を手動で調整するためのボタンであり、ＡＥロックボタン３２４は、露出を固定するためのボタンである。
【００３１】
この撮像装置１０には、図１に点線で示すように、撮像装置１０の適所に振れ検出センサ１７１が搭載されている。この振れ検出センサ１７１は、手振れなどにより撮像装置１０（カメラボディ）に与えられる振れを検出するもので、図１の水平方向をＸ軸（ピッチ方向）、該Ｘ軸に垂直な方向をＹ軸（ヨー方向）とする２次元座標系を想定するものとすると、ピッチ方向のカメラ振れを検出するピッチ方向センサ１７１ａと、ヨー方向のカメラ振れを検出するヨー方向センサ１７１ｂとを有している。ピッチ方向センサ１７１ａ及びヨー方向センサ１７１ｂは、例えば圧電素子を用いたジャイロ（角速度センサ）から構成され、各方向の振れの角速度を検出する。
【００３２】
交換レンズ２(図７)は、被写体からの光（光像）を取り込むレンズ窓として機能するとともに、当該被写体光を撮像装置１０の内部に配置されている後述の撮像素子１０１や光学ファインダ３１６へ導くための撮影光学系と構成するものである。この交換レンズ２は、上述のレンズ交換ボタン３０２を押下操作することで、撮像装置１０から取り外すことが可能とされている。
【００３３】
交換レンズ２は、光軸Ｌに沿って直列的に配置された複数のレンズからなるレンズ群２１を備えてなる（図９参照）。このレンズ群２１には、焦点の調節を行うためのフォーカスレンズ２１１（図１０参照）、変倍を行うためのズームレンズ２１２（図１０参照）が含まれており、それぞれ光軸Ｌ方向に駆動されることで、変倍や焦点調節が行われる。また、交換レンズ２には、その鏡胴２２（図９参照）の外周適所に該鏡胴の外周面に沿って回転可能な操作環が備えられており、上記ズームレンズ２１２は、マニュアル操作或いはオート操作により、上記操作環の回転方向及び回転量に応じて光軸方向に移動し、その移動先の位置に応じたズーム倍率（撮影倍率）に設定されるようになっている。
【００３４】
また、図４において、撮像装置１０の底面側には、撮像装置１０を固定支持するための三脚を取り付ける三脚取付部１８５が備えられている。
【００３５】
＜カメラシステム１の内部構成＞
次に、カメラシステム１の内部構成について説明する。図９は、カメラシステム１の縦断面図である。図９に示すように、撮像装置１０の内部には、撮像素子１０１、ファインダ部１０２（ファインダ光学系）、ミラー部１０３、焦点検出部１０７、上述した振れ検出センサ１７１、振れ補正ユニット２００及びシャッタユニット４０などが備えられている。
【００３６】
撮像素子１０１は、撮像装置１０に交換レンズ２が装着された場合の当該交換レンズ２が備えているレンズ群２１の光軸Ｌ上において、光軸Ｌに対して垂直となる方向に配置されている。撮像素子１０１としては、例えばフォトダイオードを有して構成される複数の画素がマトリクス状に２次元配置され、各画素の受光面に、それぞれ分光特性の異なる例えばＲ（赤）、Ｇ（緑）、Ｂ（青）のカラーフィルタが１：２：１の比率で配設されてなるベイヤー配列のＣＭＯＳカラーエリアセンサ（ＣＭＯＳ型の撮像素子）が用いられる。撮像素子（撮像センサ）１０１は、レンズ群２１により結像された被写体の光像をＲ（赤）、Ｇ（緑）、Ｂ（青）各色成分のアナログの電気信号（画像信号）に変換し、Ｒ、Ｇ、Ｂ各色の画像信号として出力する。
【００３７】
上記の光軸Ｌ上において、被写体光をファインダ部１０２へ向けて反射される位置には、ミラー部１０３（反射板）が配置されている。交換レンズ２を通過した被写体光は、ミラー部１０３（後述の主ミラー１０３１）によって上方へ反射され、焦点板１０４（ピントグラス）に結像される。交換レンズ２を通過した被写体光の一部はこのミラー部１０３を透過する。
【００３８】
ファインダ部１０２は、ペンタプリズム１０５、接眼レンズ１０６及び光学ファインダ３１６を備えている。ペンタプリズム１０５は、断面５角形を呈し、その下面から入射された被写体光像を内部での反射によって当該光像の天地左右を入れ替えて正立像にするためのプリズムである。接眼レンズ１０６は、ペンタプリズム１０５により正立像にされた被写体像を光学ファインダ３１６の外側に導く。このような構成により、ファインダ部１０２は、撮影待機時において被写界を確認するための光学ファインダとして機能する。
【００３９】
ミラー部１０３は、主ミラー１０３１及びサブミラー１０３２から構成されており、主ミラー１０３１の背面側において、サブミラー１０３２が主ミラー１０３１の背面に向けて倒れるように回動可能に設けられている。主ミラー１０３１を透過した被写体光の一部はサブミラー１０３２によって反射され、この反射された被写体光は焦点検出部１０７に入射される。
【００４０】
上記のミラー部１０３は、所謂クイックリターンミラーとして構成されており、露光時には回転軸１０３３を回動支点として矢印Ａに示す上方に向けて跳ね上がり、焦点板１０４の下方位置で停止する。この際、サブミラー１０３２は、主ミラー１０３１の背面に対して矢印Ｂで示す方向に回転軸１０３４を支点として回動し、上記のミラー部１０３が焦点板１０４の下方位置で停止したときには、主ミラー１０３１と略平行となるように折り畳まれた状態となる。これにより、交換レンズ２からの被写体光がミラー部１０３によって遮られることなく撮像素子１０１上に届き、該撮影素子１０１が露光される。露光が終了すると、ミラー部１０３は元の位置（図９に示す位置）に復帰する。
【００４１】
焦点検出部１０７は、被写体のピント情報を検出する測距素子等からなる所謂ＡＦセンサとして構成されている。この焦点検出部１０７は、ミラー部１０３の底部に配設されており、例えば周知の位相差検出方式により合焦位置を検出する。
【００４２】
撮像素子１０１は、振れ補正ユニット２００にて光軸Ｌと直交する平面において二次元的に移動可能に保持されている。また、撮像素子１０１の光軸方向直前には、赤外線の入射を防止するための（ＩＲカット用の）及び疑似カラーや色モアレの発生を防止するためのローパスフィルタ１０８が配置されており、さらにローパスフィルタ１０８の直前には、シャッタユニット４０が配置されている。このシャッタユニット４０は、上下方向に移動する幕体を備え、光軸Ｌに沿って撮像素子１０１に導かれる被写体光の光路開口動作及び光路遮断動作を行うメカニカルフォーカルプレーンシャッタである。
【００４３】
マウント部３０１の後部における撮像装置１０の略中央部には、枠体１２０（前枠）が配置されている（図９におけるハッチング部参照）。この枠体１２０は、その前後面部及び上記ペンタプリズム１０５（焦点板１０４）と対向する上面部が開口された正面視略四角形状の角筒体であり、歪み等に対する強度を有した金属製の剛体である。枠体１２０の前面は、マウント部３０１の形状に合わせて円筒状のマウント受け部１２１が形成されており、このマウント受け部１２１にマウント部３０１が嵌合された状態で、前面側から複数のビス１２２によってビス止めされている。枠体１２０は、その内部にミラー部１０３が配置されており当該ミラー部１０３の保持部材を兼ねたものとなっている。なお、シャッタユニット４０は、枠体１２０の後端部と、その後方側に配置されたシャッタ押さえ板１０９にて挟持される態様で枠体１２０に支持されている。
【００４４】
撮像装置１０の上記各部は、例えば鉄などの金属材料からなるシャーシによって互いに連結（固定）されている。本実施形態では上記のシャーシが、前面シャーシ（図示省略）、側面シャーシ１８３及び底面シャーシ１８４から構成されてなる例を示している。これらのシャーシは、上述した撮像装置１０内の各部品を支持する支持材としての役目を果たす。そして、シャーシ同士がビスにより固定され、さらにはシャーシの連結構造体と枠体１２０とがビスにより固定されることで、これらの部材が一体構造物化されているものである。なお、底面シャーシ１８４には、上述した三脚取付部１８５が設けられている。
【００４５】
＜振れ補正ユニットについて＞
続いて、上記図９を参照して振れ補正ユニット２００の構成を詳細に説明する。振れ補正ユニット２００は、撮像素子１０１及びローパスフィルタ１０８と、撮像素子１０１とともにローパスフィルタ１０８を保持する撮像素子ホルダ２０１と、撮像素子ホルダ２０１を保持するスライダ２０２と、撮像素子１０１の後面に配設された放熱板２０３と、放熱板２０３の後面に配設された撮像素子基板２０４と、ヨー方向アクチュエータ２０５と、ピッチ方向アクチュエータ（図示省略）と、振れ台板２０７とを備えて構成されている。
【００４６】
撮像素子基板２０４は、撮像素子１０１がマウントされる略長方形状の基板である。ただし当該マウントは、撮像素子１０１と撮像素子基板２０４との間に放熱板２０３が介在された状態で行われる。放熱板２０３は所定の金属材料からなる板状体であり、撮像素子１０１の駆動（光電変換）により発生した熱を逃がすためのものである。撮像素子ホルダ２０１は断面略長方形状の前後が開口された枠体であり、この枠体の前方部にはローパスフィルタ１０８が取り付けられ、このローパスフィルタ１０８の後方部に撮像素子１０１が配設されている。撮像素子１０１は、撮像素子基板２０４により放熱板２０３と共に撮像素子ホルダ２０１に対して押圧された状態で、当該撮像素子基板２０４が撮像素子ホルダ２０１に対してビス止めされて取り付けられている。
【００４７】
振れ台板２０７は、撮像素子ホルダ２０１が保持された状態のスライダ２０２を保持するための振れ補正ユニット２００における所謂基台をなすものである。
【００４８】
そして、撮像素子ホルダ２０１の上下方向における一端辺部に設けられたヨー方向アクチュエータ２０５の駆動に応じて、振れ台板２０７に対して左右方向にスライダ２０２と撮像素子ホルダ２０１とが一体的にスライド移動することで撮像素子１０１のヨー方向の振れが補正され、撮像素子ホルダ２０１の左右方向における一端辺部に設けられたピッチ方向アクチュエータ（図示省略）の駆動に応じて、スライダ２０２に対して撮像素子ホルダ２０１が上下方向にスライド移動することで撮像素子１０１のピッチ方向の振れが補正されることとなる。
【００４９】
＜カメラシステム１の電気的構成＞
図１０は、カメラシステム１全体の電気的な構成を示すブロック図である。ここで、図１〜図９と同一の部材等については、同一の符号を付している。説明の便宜上、交換レンズ２の電気的構成について先ず説明する。交換レンズ２は、上述した撮影光学系を構成するレンズ群２１及び鏡胴２２に加え、レンズ駆動機構２４と、レンズ位置検出部２５と、レンズ制御部２６と、絞り駆動機構２７とを備えている。
【００５０】
レンズ群２１は、フォーカスレンズ２１１及びズームレンズ２１２と、撮像装置１０に備えられている撮像素子１０１へ入射される光量を調節するための絞り２３とが、鏡胴２２内において光軸Ｌ方向に保持されており、被写体の光像を取り込んで撮像素子１０１等に結像するものである。撮影倍率（焦点距離）の変更や焦点調節動作は、レンズ群２１が撮像装置１０内のＡＦアクチュエータ７１Ｍにより光軸Ｌ方向（図９）に駆動されることで行われる。
【００５１】
レンズ駆動機構２４は、例えばヘリコイド及び該ヘリコイドを回転させる図示省略のギア等で構成され、カプラ７４を介してＡＦアクチュエータ７１Ｍからの駆動力を受けて、レンズ群２１を一体的に光軸Ｌと平行な方向に移動させるものである。なお、レンズ群２１の移動方向及び移動量は、それぞれＡＦアクチュエータ７１Ｍの回転方向及び回転数に従う。
【００５２】
レンズ位置検出部２５は、レンズ群２１の移動範囲内において光軸Ｌ方向に複数個のコードパターンが所定ピッチで形成されたエンコード板と、このエンコード板に摺接しながら鏡胴２２と一体的に移動するエンコーダブラシとを備えており、レンズ群２１の焦点調節時の移動量を検出する。
【００５３】
レンズ制御部２６は、例えば制御プログラムを記憶するＲＯＭや状態情報に関するデータを記憶するフラッシュメモリ等からなるメモリ部２６１が内蔵されたマイクロコンピュータならなる。またレンズ制御部２６は、撮像装置１０のメイン制御部６２との間で通信を行う通信部２６２を備え、この通信部２６２は、例えばレンズ群２１の焦点距離、射出瞳位置、絞り値、合焦距離及び周辺光量状態等の状態情報データをメイン制御部６２に送信する一方、メイン制御部６２から例えばフォーカスレンズ２１１の駆動量のデータを受信する。また撮影時には、ＡＦ動作完了後の焦点距離情報、絞り値等のデータが通信部２６２からメイン制御部６２へ送信される。なお、前記記憶部２６１には、上記レンズ群２１の状態情報データや、メイン制御部６２から送信された例えばフォーカスレンズ２１１の駆動量のデータ等が記憶される。
【００５４】
絞り駆動機構２７は、カプラ７５を介して絞り駆動アクチュエータ７６Ｍからの駆動力を受けて、絞り２３の絞り径を変更するものである。
【００５５】
続いて、撮像装置１０の電気的構成について説明する。撮像装置１０には、先に説明した撮像素子（ＣＭＯＳ）１０１及びこれを振れ補正駆動する振れ補正ユニット２００、シャッタユニット４０等の他に、ＡＦＥ（アナログフロントエンド）５、画像処理部６１、画像メモリ６１４、メイン制御部６２、フラッシュ回路６３、操作部６４、ＶＲＡＭ６５、カードＩ／Ｆ６６、メモリカード６７、通信用Ｉ／Ｆ６８、電源回路６９、電池６９Ｂ、フォーカス駆動制御部７１Ａ及びＡＦアクチュエータ７１Ｍ、ミラー駆動制御部７２Ａ及びミラー駆動アクチュエータ７２Ｍ、シャッタ駆動制御部７３Ａ及びシャッタ駆動アクチュエータ７３Ｍ、絞り駆動制御部７４Ａ及び絞り駆動アクチュエータ７４Ｍ、位置検出センサ部（ＰＳ）２０８、視度調整部１７２及び三脚検知センサ１８５Ｓを備えて構成されている。
【００５６】
撮像素子１０１は、先に説明した通りＣＭＯＳカラーエリアセンサからなり、後述のタイミング制御回路５１により、当該撮像素子１０１の露光動作の開始（及び終了）や、撮像素子１０１が備える各画素の出力選択、画素信号の読出し等の撮像動作が制御される。
【００５７】
ＡＦＥ５は、撮像素子１０１に対して所定の動作を行わせるタイミングパルスを与えると共に、撮像素子１０１から出力される画像信号（ＣＭＯＳエリアセンサの各画素で受光されたアナログ信号群）に所定の信号処理を施し、デジタル信号に変換して画像処理部６１へ出力するものである。このＡＦＥ５は、タイミング制御回路５１、信号処理部５２及びＡ／Ｄ変換部５３などを備えて構成されている。
【００５８】
タイミング制御回路５１は、メイン制御部６２から出力される基準クロックに基づいて所定のタイミングパルス（垂直走査パルスφＶｎ、水平走査パルスφＶｍ、リセット信号φＶｒ等を発生させるパルス）を生成して撮像素子１０１に出力し、撮像素子１０１の撮像動作を制御する。また、所定のタイミングパルスを信号処理部５２やＡ／Ｄ変換部５３にそれぞれ出力することにより、信号処理部５２及びＡ／Ｄ変換部５３の動作を制御する。
【００５９】
信号処理部５２は、撮像素子１０１から出力されるアナログの画像信号に所定のアナログ信号処理を施すものである。この信号処理部５２には、ＣＤＳ（相関二重サンプリング）回路、ＡＧＣ（オートゲインコントロール）回路及びクランプ回路等が備えられている。Ａ／Ｄ変換部５３は、信号処理部５２から出力されたアナログのＲ、Ｇ、Ｂの画像信号を、前記タイミング制御回路５１から出力されるタイミングパルスに基づいて、複数のビット（例えば１２ビット）からなるデジタルの画像信号に変換するものである。
【００６０】
画像処理部６１は、ＡＦＥ５から出力される画像データに所定の信号処理を行って画像ファイルを作成するもので、黒レベル補正回路６１１、ホワイトバランス制御回路６１２及びガンマ補正回路６１３等を備えて構成されている。なお、画像処理部６１へ取り込まれた画像データは、撮像素子１０１の読み出しに同期して画像メモリ６１４に一旦書き込まれ、以後この画像メモリ６１４に書き込まれた画像データにアクセスして、画像処理部６１の各ブロックにおいて処理が行われる。
【００６１】
黒レベル補正回路６１１は、Ａ／Ｄ変換部５３によりＡ／Ｄ変換されたＲ、Ｇ、Ｂの各デジタル画像信号の黒レベルを、基準の黒レベルに補正するものである。
【００６２】
ホワイトバランス補正回路６１２は、光源に応じた白の基準に基づいて、Ｒ（赤）、Ｇ（緑）、Ｂ（青）の各色成分のデジタル信号のレベル変換（ホワイトバランス（ＷＢ）調整）を行うものである。すなわちホワイトバランス制御回路６１２は、メイン制御部６２から与えられるＷＢ調整データに基づき、撮影被写体において輝度や彩度データ等から本来白色であると推定される部分を特定し、その部分のＲ、Ｇ、Ｂそれぞれを色成分の平均と、Ｇ／Ｒ比及びＧ／Ｂ比とを求め、これをＲ、Ｂの補正ゲインとしてレベル補正する。
【００６３】
ガンマ補正回路６１３は、ＷＢ調整された画像データの階調特性を補正するものである。具体的にはガンマ補正回路６１３は、画像データのレベルを色成分毎に予め設定されたガンマ補正用テーブルを用いて非線形変換すると共にオフセット調整する。
【００６４】
画像メモリ６１４は、撮影モード時には、画像処理部６１から出力される画像データを一時的に記憶するとともに、この画像データに対しメイン制御部６２により所定の処理を行うための作業領域として用いられるメモリである。また、再生モード時には、メモリカード６７から読み出した画像データを一時的に記憶する。
【００６５】
メイン制御部６２は、例えば制御プログラムを記憶するＲＯＭや一時的にデータを記憶するフラッシュメモリ等の記憶部が内蔵されたマイクロコンピュータからなり、カメラシステム１内の各部の動作を制御するものである。このメイン制御部６２は、機能的に、ＡＦ／ＡＥ制御部６２１および振れ補正制御部６２２を有している。なお、メイン制御部６２は、撮像装置１０におけるシャッタ動作を制御する機能も有している。
【００６６】
ＡＥ／ＡＦ制御部６２１は、自動焦点制御（ＡＦ）及び自動露出制御（ＡＥ）のために必要な動作制御を行う。すなわち、ＡＦのために、上述した焦点検出部（位相差ＡＦモジュール）１０７の出力信号を用いて位相差検出方式による焦点調節処理を行い、合焦制御信号（ＡＦ制御信号）を生成し、フォーカス駆動制御部７１Ａを介してＡＦアクチュエータ７１Ｍを動作させ、フォーカスレンズ２１１の駆動を行わせる。また、ＡＥのために、図示省略のＡＥセンサで検出された被写体の輝度情報等に基づいて、当該被写体における適正な露出量（シャッタ速度等を含む）を求める演算を行う。
【００６７】
振れ補正制御部６２２は、手振れ補正モードが実行される場合において、上述の振れ検出センサ１７１からの振れ検出信号に基づいて振れ方向及び振れ量を算出し、算出された方向及び振れ量に基づき振れ補正制御信号を生成して振れ補正ユニット２００に出力し、撮像素子１０１を手振れが打ち消される方向にシフト駆動させるものである。例えばサーボ制御を行う場合の一例を挙げると、振れ補正制御部６２２は、振れ検出センサ１７１により検出された角速度信号を積分処理して各方向の振れ量（振れ角θ）を求め、交換レンズ２の焦点距離ｆ等のレンズプロフィールに応じて振れ角θに対応する撮像素子１０１の移動距離δ１（δ１＝ｆ・ｔａｎθ）を算出する。そして、位置検出センサ部２０８から撮像素子１０１の位置情報δ２を取得し、δ１−δ２＝０となるように撮像素子１０１を駆動させる駆動信号を生成して振れ補正ユニット２００に与える。
【００６８】
フラッシュ回路６３は、フラッシュ撮影モードにおいて、フラッシュ部３１８または接続端子部３１９に接続される外部フラッシュの発光量を、メイン制御部６２により設定された発光量に制御するものである。
【００６９】
操作部６４は、上述のモード設定ダイアル３０５、制御値設定ダイアル３０６、シャッターボタン３０７、設定ボタン群３１２、手振れ補正スイッチ３１３、十字キー３１４、プッシュボタン３１５、メインスイッチ３１７等を含み、操作情報をメイン制御部６２に入力するためのものである。
【００７０】
ＶＲＡＭ６５は、ＬＣＤ３１１の画素数に対応した画像信号の記憶容量を有し、メイン制御部６２とＬＣＤ３１１との間のバッファメモリである。カードＩ／Ｆ６６は、メモリカード６７とメイン制御部６２との間で信号の送受信を可能とするためのインターフェイスである。メモリカード６７は、メイン制御部６２で生成された画像データを保存する記録媒体である。通信用Ｉ／Ｆ６８は、パーソナルコンピュータやその他の外部機器に対する画像データ等の伝送を可能とするためのインターフェイスである。
【００７１】
電源回路６９は、例えば定電圧回路等からなり、メイン制御部６２等の制御部、撮像素子１０１、その他の各種駆動部等、カメラシステム１全体を駆動させるための電圧（例えば５Ｖ）を生成する。なお、撮像素子１０１への通電制御は、メイン制御部６２から電源回路６９に与えられる制御信号により行われる。電池６９Ｂは、アルカリ乾電池等の一次電池や、ニッケル水素充電池等の二次電池からなり、カメラシステム１全体に電力を供給する電源である。
【００７２】
フォーカス駆動制御部７１Ａは、メイン制御部６２のＡＦ／ＡＥ制御部６２１から与えられるＡＦ制御信号に基づき、フォーカスレンズ２１１を合焦位置に移動させるために必要な、ＡＦアクチュエータ７１Ｍに対する駆動制御信号を生成するものである。ＡＦアクチュエータ７１Ｍは、ステッピングモータ等からなり、カプラ７４を介して交換レンズ２のレンズ駆動機構２４にレンズ駆動力を与える。
【００７３】
ミラー駆動制御部７２Ａは、撮影動作のタイミングに合わせて、ミラー駆動アクチュエータ７２Ｍを駆動させる駆動信号を生成するものである。ミラー駆動アクチュエータ７２Ｍは、ミラー部１０３（クイックリターンミラー）を、水平姿勢若しくは傾斜姿勢に回動させるアクチュエータである。
【００７４】
シャッタ駆動制御部７３Ａは、メイン制御部６２から与えられる制御信号に基づき、シャッタ駆動アクチュエータ７３Ｍに対する駆動制御信号を生成するものである。シャッタ駆動アクチュエータ７３Ｍは、シャッタユニット４０の開閉駆動を行うアクチュエータである。
【００７５】
絞り駆動制御部７６Ａは、メイン制御部６２から与えられる制御信号に基づき、絞り駆動アクチュエータ７６Ｍに対する駆動制御信号を生成するものである。絞り駆動アクチュエータ７６Ｍは、カプラ７５を介して絞り駆動機構２７に駆動力を与える。
【００７６】
位置検出センサ部２０８は、振れ補正駆動またはカメラ起動時における撮像素子１０１の位置検出を行うものである。位置検出センサ部２０８は、磁力線を出す磁石部と、この磁石部から出る磁力線の強弱に応じた信号を出力する２次元ホールセンサとを備えて構成されている。このような構成により、位置検出センサ部２０８は、振れ台板２０７に対する撮像素子ホルダ２０１の上下左右の移動に伴って移動する磁石部の位置を、２次元ホールセンサによって検出することで、当該撮像素子１０１の位置検出が可能となる。
【００７７】
視度調整部１７２は、視度調整ダイアル３２２に対するユーザの操作入力に応じて、光学ファインダ３１６の視度調整を行う部位である。
【００７８】
三脚検知センサ１８５Ｓは、接点部を有する接点センサ等からなり、撮像装置１０の底面シャーシ１８４に設けられている三脚取付部１８５に三脚（支持脚）が取り付けられているか否かを電気的に検出するセンサである。
【００７９】
＜視度調整ダイアル３２２について＞
撮像装置１０は、視度調整ダイアル３２２に対する不用意な操作を防止するための構成を有しているが、この構成に関連する視度調整ダイアル３２２の配置およびアイカップ３２１の形状等について以下で詳しく説明する。
【００８０】
図１１は、図２のXI−XI位置から見た断面を示す図である。
【００８１】
視度調整ダイアル３２２は、撮像装置１１の背面１０ｂ上に配設されており、回転軸３２２ｃを中心に回転自在となっている。また、視度調整ダイアル３２２は、撮像装置１０の背面における外縁Ｂｄ(図２)より内側に設けられ、その外縁Ｂｄからはみ出さないように配置されている。
【００８２】
アイカップ３２１では、その外側面の一部に凹部３２１ｈ(図６参照)が形成されており、この凹部３２１ｈは視度調整ダイアル３２２の上に配置されている。そして、視度調整ダイアル３２２は、凹部３２１ｈの開口端面３２１ｆから若干突出する部分があるものの、その内側に略収容されている。この開口端面３２１ｆは、仮にアイカップ３２１に凹部３２１ｈが形成されていない場合のアイカップ３２１の表面に対応している。
【００８３】
アイカップ３２１の凹部３２１ｈは、指先ＦＧが入るサイズを有している。よって、ユーザは、凹部３２１ｈに指先ＦＧを入れて視度調整ダイアル３２２を自在に操作することが可能である。
【００８４】
以上のように視度調整ダイアル３２２は撮像装置１０の背面において外縁Ｂｄ内に配置されているため、撮像装置１０の外形面から視度調整ダイアル３２２が突出することがない。よって、視度調整ダイアル３２２にユーザの指が誤って触れることが抑えられ、不用意な操作を防止できる。さらに、アイカップ３２１の外側面の一部に凹部３２１ｈが形成され、この凹部３２１ｈの開口端面３２１ｆに視度調整ダイアル３２２が略収容されるため、撮像装置１０の後方から見れば図２に示すアイカップ３２１の陰に視度調整ダイアル３２２の大部分が隠れることとなり、視度調整ダイアルに対する不用意な操作をより防止できることとなる。
【００８５】
また、視度調整ダイアル３２２の上には、アイカップ３２１の凹部３２１ｈによって指先ＦＧが入る程度の空間が形成されているため、ユーザは凹部３２１ｈの斜め上方から視度調整ダイアル３２２の表面を視認できる。よって、視度調整ダイアル３２１の表面に、操作情報を示す文字等（例えば増減方向を示す「＋」や「−」）を表しておけば、視度調整ダイアル３２１の操作に関する有益な情報をユーザに提供できる。
【００８６】
なお、撮像装置１０において視度調整を行うファインダについては、光学ファインダに限らず、ＥＶＦ(Electronic View Finder)など電子的に被写体を表示する接眼タイプのファインダであっても良い。
【００８７】
また、視度調整を行うための操作部材については、上述した視度調整ダイアル３２２のように所定の回転軸を中心に回転するダイアル型の操作部材に限らず、所定の範囲を直線的に移動するスライド型の操作部材などであっても良い。
【００８８】
＜フラッシュ部３１８について＞
撮像装置１０のフラッシュ部３１８は、フラッシュ部３１８を手動で起立させる際にユーザの指先が痛くなるのを防止するための構成を有しているが、この構成について以下で詳しく説明する。
【００８９】
フラッシュ部３１８の両サイドには、伏臥状態Ｑａ(図７)におけるフラッシュ部３１８と収納部３２０との境界Ｂａ、Ｂｂ(図５〜図７)に沿って、この境界Ｂａ、Ｂｂの直上で横臥するように棒状の突出部Ｖａ、Ｖｂ(図５〜図８)が設けられている。各突出部Ｖａ、Ｖｂは、フラッシュ部３１８の先端部から回転軸Ｃｏ(図８)付近まで設けられており、その先端が緩やかにカーブしている。この突出部Ｖａ、Ｖｂの構成を詳細に説明する。
【００９０】
図１２は、図５のXII−XII位置から見た断面を示す概略図である。
【００９１】
フラッシュ部３１８は、発光部を内蔵する本体部３１８ｍを備えており、本体部３１８ｍの左下隅および右下隅には、突出方向に丸みを帯びている突出部Ｖａ、Ｖｂが形成された２つの棒状部材３１８ａ、３１８ｂが取り付けられている。このように別部材としての棒状部材３１８ａ、３１８ｂをフラッシュ部３１８に取り付けるのは、突出方向に丸みを帯びた突出部Ｖａ、Ｖｂを形成するためである。すなわち、金型を用いてフラッシュ部の筐体と一体化された突出部Ｖａ、Ｖｂを形成しようとしても、金型による製造上の制約から図１３に示すようにフラッシュ部の筐体３１８ｐの左下隅Ｅａおよび右下隅Ｅｂは、角張ってしまって丸みを帯びた突出部Ｖａ、Ｖｂを形成するが難しいためである。
【００９２】
以上のようにフラッシュ部３１８の両サイドには、棒状の突出部Ｖａ、Ｖｂが設けられているため、この突出部Ｖａ、Ｖｂにユーザが指先を押し付けて伏臥状態Ｑａのフラッシュ部３１８を起立させる際には、突出部Ｖａ、Ｖｂと指先との接触面積が比較的大きくなる。よって、ユーザの指先では圧力が分散されるため、指先が痛くなることがなくユーザに不快感を与えることを回避できる。さらに、棒状の突出部Ｖａ、Ｖｂは、突出方向に湾曲しているため、指先に対する負担がより軽減されることとなる。
【００９３】
なお、フラッシュ部３１８における棒状の突出部については、図１４に示す突出部Ｖｃのようにフラッシュ部３１８の先端部だけに設けるようにしても良い。回転軸Ｃｏ(図８)から遠いフラッシュ部３１８の先端部では、回転軸Ｃｏに近い場所に比べて小さな力でフラッシュ部３１８を起立させることが可能なため、ユーザはフラッシュ部３１８の先端部を指先で把持して起立させる可能性が高い。よって、フラッシュ部において少なくとも先端部の両サイドに棒状の突出部を設けておけば、フラッシュ部３１８の起立時に指先が痛くなるのを防止できる。なお、フラッシュ部３１８の先端部から回転軸Ｃｏ(図８)付近まで棒状の突出部Ｖａ、Ｖｂを形成する場合には、フラッシュ部３１８の先端部のみならず中央部などを指先で把持して起立させることが可能なため、ユーザの利便性が向上することとなる。また、その場合においても、ユーザはフラッシュ部３１８の先端部を指先で把持して起立させる可能性が高いため、棒状の突出部Ｖａ、Ｖｂは、その突出方向の断面積が所定の回転軸Ｃｏ(図８)から遠くなるほど大きくなっていることで、ユーザの利便性が向上することとなる。
【図面の簡単な説明】
【００９４】
【図１】本発明の実施形態に係る撮像装置１０の外観構成を示す図である。
【図２】撮像装置１０の外観構成を示す図である。
【図３】撮像装置１０の外観構成を示す図である。
【図４】撮像装置１０の外観構成を示す図である。
【図５】撮像装置１０の外観構成を示す図である。
【図６】撮像装置１０の外観構成を示す図である。
【図７】撮像装置１０に交換レンズ２が装着されたカメラシステム１の斜視図である。
【図８】フラッシュ部３１８の起立状態を示す図である。
【図９】カメラシステム１の縦断面図である。
【図１０】カメラシステム１全体の電気的な構成を示すブロック図である。
【図１１】図２のXI−XI位置から見た断面を示す図である。
【図１２】図５のXII−XII位置から見た断面を示す概略図である。
【図１３】フラッシュ部の筐体と一体化された突出部Ｖａ、Ｖｂの形成が難しいことを説明するための図である。
【図１４】フラッシュ部３１８の先端部だけに設けられた棒状の突出部Ｖｃを示す図である。
【図１５】従来技術に係る視度調整ダイアルを説明するための図である。
【符号の説明】
【００９５】
１  カメラシステム
２  交換レンズ
１０  撮像装置
３１６  光学ファインダ
３１８  フラッシュ部
３１８ａ、３１８ｂ  棒状部材
３２０  収納部
３２１  アイカップ
３２１ｆ  開口端面
３２１ｈ  アイカップの凹部
３２２  視度調整ダイアル
Ｃｏ  回転軸
ＦＧ  指先
Ｑａ  伏臥状態
Ｑｂ  起立状態
Ｖａ、Ｖｂ、Ｖｃ  棒状の突出部
【図１】
2007322985.tif 000003
【図２】
2007322985.tif 000004
【図３】
2007322985.tif 000005
【図４】
2007322985.tif 000006
【図５】
2007322985.tif 000007
【図６】
2007322985.tif 000008
【図７】
2007322985.tif 000009
【図８】
2007322985.tif 000010
【図９】
2007322985.tif 000011
【図１０】
2007322985.tif 000012
【図１１】
2007322985.tif 000013
【図１２】
2007322985.tif 000014
【図１３】
2007322985.tif 000015
【図１４】
2007322985.tif 000016
【図１５】
2007322985.tif 000017